【手続補正書】
【提出日】平成26年7月22日(2014.7.22)
【手続補正１】
【補正対象書類名】特許請求の範囲
【補正対象項目名】全文
【補正方法】変更
【補正の内容】
【特許請求の範囲】
【請求項１】
第１プロセス制御プロトコルを用いて情報を伝達するよう構成された第１通信リンクと、前記第１通信リンクとは異なり且つ第２プロセス制御プロトコルを用いて情報を伝達するよう構成された第２通信リンクとを備え、少なくとも１つのフィールドデバイスが前記第１通信リンクに接続され、前記少なくとも１つのフィールドデバイスは、物理的プロセスパラメータを制御または測定するよう構成されたプロセス制御システムとともに用いられるインターフェースデバイスであって、
前記物理的プロセスパラメータの測定または制御に関するプロセス制御情報を収集するために、前記第１通信リンクに通信可能に接続されるよう構成されたプロセス制御インターフェースと、
前記第１通信リンクに関するまたは前記第１通信リンクに通信可能に接続されたデバイスに関する診断状況を判定するために、前記収集されたプロセス制御情報を前記インターフェースデバイス上で分析することを実行する診断アプリケーションと、
前記第２通信リンクを介して、前記第２プロセス制御プロトコルを用いて、前記プロセス制御システム内における前記インターフェースデバイス以外のエンティティに前記診断状況を伝達するために、前記第２通信リンクに通信可能に接続するよう構成された通信インターフェースと、を備え、
前記第１プロセス制御プロトコルおよび前記第２プロセス制御プロトコルは異なる産業オートメーションプロトコルであり、前記第１プロセス制御プロトコルおよび前記第２プロセス制御プロトコルのそれぞれはプロセス制御情報を伝達するための特定の機構を有する、インターフェースデバイス。
【請求項２】
前記診断アプリケーションは、前記プロセス制御情報にパワースペクトル解析を実行することができる、請求項１に記載のインターフェースデバイス。
【請求項３】
前記パワースペクトル解析は、測定されたプロセス制御信号に対する異なる周波数およびそれらのパワー寄与を特定する、請求項２に記載のインターフェースデバイス。
【請求項４】
前記パワースペクトル解析は、プロセス制御信号内においてプロセスノイズを検出するために、測定されたプロセス制御信号に対する異なる周波数およびそれらのパワー寄与を特定する、請求項２に記載のインターフェースデバイス。
【請求項５】
前記診断アプリケーションは、前記プロセス制御情報に基づいて、前記第１通信リンクに関する、１つまたは複数の性能要因を検出することを実行する、請求項１〜請求項４の何れか１項に記載のインターフェースデバイス。
【請求項６】
前記１つまたは複数の性能要因は、通信エラー率またはバス稼働率を含む、請求項５に記載のインターフェースデバイス。
【請求項７】
第１プロセス制御プロトコルを用いてプロセス制御情報を伝達するよう構成された第１通信リンクと、
前記第１通信リンクとは異なり且つ第２プロセス制御プロトコルを用いてプロセス制御情報を伝達するよう構成された第２通信リンクと、
前記第１通信リンクに通信可能に接続され且つ前記第１通信リンクの動作に関する診断情報を収集または判定するよう構成された診断インターフェースと、
前記第２通信リンクに通信可能に接続され且つ前記第２通信リンクを介して、前記第２プロセス制御プロトコルを用いて、プロセス制御システム内における診断ユニット以外のエンティティに前記収集された診断情報を示すデータを伝達するよう構成された通信インターフェースと、
を備える診断デバイスと、
を備えるプロセス制御システムであって、
前記第１プロセス制御プロトコルおよび前記第２プロセス制御プロトコルは異なる産業オートメーションプロトコルであり、前記第１プロセス制御プロトコルおよび前記第２プロセス制御プロトコルのそれぞれはプロセス制御情報を伝達するための特定の機構を有する、プロセス制御システム。
【請求項８】
前記診断インターフェースは、前記第１通信リンクから収集された複数のデータに基づいて前記診断情報を判定するアプリケーションを実行する、請求項７に記載のプロセス制御システム。
【請求項９】
前記アプリケーションは、前記第１通信リンクから収集された前記複数のデータにパワースペクトル解析を実行する、請求項８に記載のプロセス制御システム。
【請求項１０】
前記アプリケーションは、前記第１通信リンク上のノイズを検出するよう動作する、請求項８に記載のプロセス制御システム。
【請求項１１】
前記アプリケーションは、前記第１通信リンクに対する１つまたは複数の性能指標を検出するよう動作し、前記１つまたは複数の性能指標のそれぞれは、前記第１通信リンク上の通信性能の品質を示す、請求項８に記載のプロセス制御システム。
【請求項１２】
第１プロセス制御プロトコルを用いて情報を伝達するよう構成された第１通信リンクと、前記第１通信リンクとは異なり且つ第２プロセス制御プロトコルを用いて情報を伝達するよう構成された第２通信リンクとを備えるプロセス制御システムとともに用いられる診断デバイスであって、
前記第１通信リンクの動作に関する診断情報を収集または生成するために、前記第１通信リンクに通信可能に接続するよう構成された診断インターフェースと、
前記収集された診断情報を示すデータを、前記第２通信リンクを介して、前記第２プロセス制御プロトコルを用いて、前記プロセス制御システム内における診断デバイス以外のエンティティに伝達するために、前記第２通信リンクに通信可能に接続するよう構成された通信インターフェースと、を備え、
前記第１プロセス制御プロトコルおよび前記第２プロセス制御プロトコルは異なる産業オートメーションプロトコルであり、前記第１プロセス制御プロトコルおよび前記第２プロセス制御プロトコルのそれぞれはプロセス制御情報を伝達するための特定の機構を有する、診断デバイス。
【請求項１３】
前記診断インターフェースは、第１通信リンク上に存在する１つまたは複数の配線エラーを特定する形で、診断情報を収集または判定する、請求項１２に記載の診断デバイス。
【請求項１４】
前記診断インターフェースは、前記第１通信リンクから収集した複数のデータに基づいて、前記診断情報を判定するアプリケーションを実行する、請求項１３に記載の診断デバイス。
【請求項１５】
前記アプリケーションは、前記第１通信リンクから収集した前記複数のデータにパワースペクトル解析を実行する、請求項１４に記載の診断デバイス。
【請求項１６】
前記アプリケーションは、前記第１通信リンク上のノイズを検出するよう動作する、請求項１４に記載の診断デバイス。
【請求項１７】
前記アプリケーションは、前記第１通信リンクに対して１つまたは複数の性能指標を検出するよう動作し、前記１つまたは複数の性能指標は、前記第１通信リンク上の通信性能の品質を示す、請求項１４に記載の診断デバイス。
【請求項１８】
診断デバイスの診断インターフェースを介して、プロセス制御システム内に存在する、第１プロセス制御プロトコルを用いてプロセス制御情報を伝達するよう構成された第１通信リンクに通信可能に接続することと、
前記診断インターフェースを介して、前記第１通信リンクの動作に関する診断情報を収集することと、
前記診断デバイスの通信インターフェースを介して、前記第１通信リンクとは異なり且つ第２プロセス制御プロトコルを用いて情報を伝達するよう構成された第２通信リンクに通信可能に接続することと、
前記収集された診断情報を示すデータを、前記プロセス制御システム内における診断デバイス以外のエンティティに、前記通信インターフェースにより、前記第２通信リンクを介して、前記第２プロセス制御プロトコルを用いて、伝達することと、を含み、
前記第１プロセス制御プロトコルおよび前記第２プロセス制御プロトコルは異なる産業オートメーションプロトコルであり、前記第１プロセス制御プロトコルおよび前記第２プロセス制御プロトコルのそれぞれはプロセス制御情報を伝達するための特定の機構を有する、プロセス制御システム内での使用のための診断方法。
【請求項１９】
前記診断デバイスを電子式デバイス記述言語（ＥＤＤＬ：Ｅｌｅｃｔｒｏｎｉｃ Ｄｅｖｉｃｅ Ｄｅｓｃｒｉｐｔｉｏｎ Ｌａｎｇｕａｇｅ）を使用して標準的デバイスとして定義することをさらに含む、請求項１８に記載の方法。
【請求項２０】
前記第１通信リンクの動作に関する診断情報を収集することは、前記第１通信リンク上において１つまたは複数の信号を監視することと、前記監視される１つまたは複数の信号に基づいて、前記診断情報を、前記第１通信リンクの診断状況として判定することとを含む、請求項１８又は請求項１９に記載の方法。
【請求項２１】
前記診断情報を、前記第１通信リンクの診断状況として判定することは、前記第１通信リンクから収集された複数のデータに基づいて前記診断情報を判定するアプリケーションを前記診断インターフェースにおいて実行することを含む、請求項２０に記載の方法。
【請求項２２】
前記アプリケーションを実行することは、前記第１通信リンクから収集した前記複数のデータにパワースペクトル解析を実行することを含む、請求項２１に記載の方法。